(57)【要約】  ディスペンサー・アッセンブリは、ロッドと、プランジャーと、ストッパーとを含む。ロッドは、クリップ受け入れ凹部を備えたプランジャー受け入れ端部を有している。プランジャーは、ロッド係合クリップを備えたロッド受け入れ構造体を有しており、ロッド係合クリップは、ロッドとともに移動するために、ロッドのクリップ受け入れ凹部にフィットするように付勢されている。ストッパーは、プランジャー受け入れスペースを有しており、プランジャー受け入れスペースは、アパーチャーを画定しており、アパーチャーは、プランジャー受け入れスペースを通って延在しており、ロッドがアパーチャーを通って延在する状態になっている。プランジャー受け入れスペースは、プランジャーのロッド受け入れ構造体がプランジャー受け入れスペースの中に位置付けされている状態で、ロッド係合クリップの移動がプランジャー受け入れスペースの表面との接触によって制限され、プランジャーからのロッドの解放を防止するように寸法決めされている。
2021525589.tif 000002
【特許請求の範囲】
【請求項１】
クリップ受け入れ部分を備えたプランジャー受け入れ端部を有するロッド；
ロッド係合クリップを備えたロッド受け入れ構造体を有するプランジャーであって、前記ロッド係合クリップは、前記ロッドとともに移動するために、前記ロッドの前記クリップ受け入れ部分にフィットするように付勢されている、プランジャーと；
プランジャー受け入れスペースを有するストッパーであって、前記プランジャー受け入れスペースは、アパーチャーを画定しており、前記アパーチャーは、前記プランジャー受け入れスペースを通って延在しており、前記ロッドが前記アパーチャーを通って延在する状態になっており、前記プランジャー受け入れスペースは、前記プランジャーの前記ロッド受け入れ構造体が前記プランジャー受け入れスペースの中に位置付けされている状態で、前記ロッド係合クリップの移動が前記プランジャー受け入れスペースの表面との接触によって制限され、前記プランジャーからの前記ロッドの解放を防止するように寸法決めされている、ストッパーと
を含む、ディスペンサー・アッセンブリ。
【請求項２】
前記ストッパーは、前記ロッド受け入れ構造体が前記プランジャー受け入れスペースから間隔を離して配置されている状態で、前記ロッド係合クリップの移動が制限されないようにさらに構成されている、請求項１に記載のディスペンサー・アッセンブリ。
【請求項３】
前記クリップ受け入れ部分は、前記ロッドの上に形成された環状の凹部である、請求項１または２に記載のディスペンサー・アッセンブリ。
【請求項４】
前記クリップ受け入れ部分は、前記ロッドの上に形成された環状の突起部である、請求項１または２に記載のディスペンサー・アッセンブリ。
【請求項５】
前記ロッド受け入れ構造体は、全体的な円筒状の形状を有しており、前記クリップ受け入れ部分は、環状の形状を有しており、
前記プランジャーの前記ロッド受け入れ構造体の前記ロッド係合クリップは、互いから円周方向に間隔を離して配置された複数のロッド係合クリップを含む、請求項１から４のいずれか一項に記載のディスペンサー・アッセンブリ。
【請求項６】
前記ストッパーの前記プランジャー受け入れスペースは、第１のスペース第２のスペースを含み、前記第１のスペースは、第１の環状の壁部の第１の内側表面によって画定されており、前記第２のスペースは、前記第１の環状の壁部と同心円状になっている第２の環状の壁部の第２の内側表面によって画定されており、前記第１および第２の環状の壁部は、互いにリジッドに接続されている、請求項１から５のいずれか一項に記載のディスペンサー・アッセンブリ。
【請求項７】
前記第１の内側表面は、第１の直径を有しており、前記第２の内側表面は、前記第１の直径よりも小さい第２の直径を有している、請求項６に記載のディスペンサー・アッセンブリ。
【請求項８】
前記プランジャーは、前記ロッド受け入れ構造体が前記プランジャー受け入れスペースの前記第２のスペースの中に位置付けされている状態で、前記プランジャーのディスク形状の部分が前記プランジャー受け入れスペースの前記第１のスペースの中に位置付けされるように構成および寸法決めされている、請求項６または７に記載のディスペンサー・アッセンブリ。
【請求項９】
前記プランジャーは、ディスク形状の部分を含み、前記ディスク形状の部分は、使い捨ての材料充填カートリッジの中のピストンに接触するように寸法決めおよび構成されている、請求項１から８のいずれか一項に記載のディスペンサー・アッセンブリ。
【請求項１０】
前記プランジャーは、ディスク形状の部分を含み、前記ディスク形状の部分は、使い捨ての材料充填カートリッジの中の材料を直接的に押圧するように寸法決めおよび構成されているピストンである、請求項１から９のいずれか一項に記載のディスペンサー・アッセンブリ。
【請求項１１】
前記ディスペンサー・アッセンブリは、
カートリッジ受け入れ構造体を有するハンドル・アッセンブリであって、前記カートリッジ受け入れ構造体は、材料ディスペンシング端部およびストッパー支持端部を含み、前記ストッパーが前記ストッパー支持端部に取り付けられている状態になっている、ハンドル・アッセンブリ
をさらに含む、請求項１から１０のいずれか一項に記載のディスペンサー・アッセンブリ。
【請求項１２】
前記ハンドル・アッセンブリは、第２のカートリッジ受け入れ構造体と、ディスペンシング・ノズルとを含み、前記第２のカートリッジ受け入れ構造体は、前記カートリッジ受け入れ構造体に対して平行に延在しており、前記ディスペンシング・ノズルは、混合部分を有しており、前記混合部分の中において、前記カートリッジ受け入れ構造体に据え付けられている第１のカートリッジの内容物、および、前記第２のカートリッジ構造体に据え付けられている第２のカートリッジの内容物が、前記ディスペンシング・ノズルを通してディスペンスされる前に混合される、請求項１１に記載のディスペンサー・アッセンブリ。
【請求項１３】
前記ハンドル・アッセンブリは、
第２のクリップ受け入れ部分を備えた第２のプランジャー受け入れ端部を有する第２のロッドであって、前記第２のロッドは、前記第２のカートリッジ受け入れ構造体に沿った移動のために支持されている、第２のロッドと；
第２のロッド係合クリップを備えた第２のロッド受け入れ構造体を有する第２のプランジャーであって、前記第２のロッド係合クリップは、前記第２のロッドとともに移動するために、前記第２のロッドの前記第２のクリップ受け入れ部分にフィットするように付勢されている、第２のプランジャー；
前記第２のカートリッジ受け入れ構造体の後方端部に支持されている第２のストッパーであって、前記第２のロッドは、前記第２のストッパーのアパーチャーを通って移動可能に延在しており、前記第２のストッパーは、第２のプランジャー受け入れスペースを有しており、前記第２のプランジャー受け入れスペースは、前記第２のロッド受け入れ構造体が前記第２のプランジャー受け入れスペースの中に位置付けされている状態で、前記第２のロッド係合クリップの移動が前記第２のプランジャー受け入れスペースの表面との接触によって制限され、前記第２のプランジャーからの前記第２のロッドの解放を防止するように寸法決めされている、第２のストッパーと
をさらに含む、請求項１２に記載のディスペンサー・アッセンブリ。
【請求項１４】
前記ハンドル・アッセンブリは、ロッド前進メカニズムをさらに含み、前記ロッド前進メカニズムは、前記ロッドを移動させるように構成されており、それによって、前記カートリッジ受け入れ構造体に据え付けられている除去可能なカートリッジに前記プランジャーが圧力を印加することを引き起こし、前記除去可能なカートリッジの内容物をディスペンスするようになっている、請求項１１、１２、または１３に記載のディスペンサー・アッセンブリ。
【請求項１５】
カートリッジ受け入れ構造体を有するハンドル・アッセンブリであって、前記カートリッジ受け入れ構造体は、材料ディスペンシング端部およびストッパー支持端部を含む、ハンドル・アッセンブリと；
クリップ受け入れ部分を備えたプランジャー受け入れ端部を有するロッドと；
ロッド係合クリップを備えたロッド受け入れ構造体を有するプランジャーであって、前記ロッド係合クリップは、前記ロッドとともに移動するために、前記ロッドの前記クリップ受け入れ部分にフィットするように付勢されている、プランジャーと；
前記ストッパー支持端部に取り付けられているストッパーであって、前記ストッパーは、プランジャー受け入れスペースを有しており、前記プランジャー受け入れスペースは、アパーチャーを画定しており、前記アパーチャーは、前記プランジャー受け入れスペースを通って延在しており、前記ロッドが前記アパーチャーを通って延在する状態になっており、前記プランジャー受け入れスペースは、前記プランジャーの前記ロッド受け入れ構造体が前記プランジャー受け入れスペースの中に位置付けされている状態で、前記ロッド係合クリップの移動が前記プランジャー受け入れスペースの表面との接触によって制限され、前記プランジャーからの前記ロッドの解放を防止するように寸法決めされており、前記ストッパーは、前記ロッド受け入れ構造体が前記プランジャー受け入れスペースから間隔を離して配置されている状態で、前記ロッド係合クリップの移動が制限されないようにさらに構成されている、ストッパーと
を含む、ディスペンサー・アッセンブリ。
【請求項１６】
前記クリップ受け入れ部分は、前記ロッドの上に形成された環状の凹部であるか、または、前記ロッドの上に形成された環状の突起部であり、
前記プランジャーの前記ロッド受け入れ構造体の前記ロッド係合クリップは、互いから円周方向に間隔を離して配置された複数のロッド係合クリップを含む、請求項１５に記載のディスペンサー・アッセンブリ。
【請求項１７】
前記ストッパーの前記プランジャー受け入れスペースは、第１のスペース第２のスペースを含み、前記第１のスペースは、第１の環状の壁部の第１の内側表面によって画定されており、前記第２のスペースは、前記第１の環状の壁部と同心円状になっている第２の環状の壁部の第２の内側表面によって画定されており、前記第１および第２の環状の壁部は、互いにリジッドに接続されており、前記第１の内側表面は、第１の直径を有しており、前記第２の内側表面は、前記第１の直径よりも小さい第２の直径を有しており、
前記ロッド受け入れ構造体および前記ロッド係合クリップの遠位端部は、第３の直径を画定しており、前記第３の直径は、前記第２の直径のおおよそ９５％であり、前記ロッド係合クリップが前記第２のスペースの中に位置付けされている状態で、前記ロッド係合クリップの移動が抑えられるようになっている、請求項１５または１６に記載のディスペンサー・アッセンブリ。
【請求項１８】
前記プランジャーは、前記ロッド受け入れ構造体が前記プランジャー受け入れスペースの前記第２のスペースの中に位置付けされている状態で、前記プランジャーのディスク形状の部分が前記プランジャー受け入れスペースの前記第１のスペースの中に位置付けされるように構成および寸法決めされており、
前記ディスク形状の部分は、使い捨ての材料充填カートリッジの中のピストンに接触するように寸法決めおよび構成されている、請求項１７に記載のディスペンサー・アッセンブリ。
【請求項１９】
前記プランジャーは、前記ロッド受け入れ構造体が前記プランジャー受け入れスペースの前記第２のスペースの中に位置付けされている状態で、前記プランジャーのディスク形状の部分が前記プランジャー受け入れスペースの前記第１のスペースの中に位置付けされるように構成および寸法決めされており、
前記ディスク形状の部分は、使い捨ての材料充填カートリッジの中の材料を直接的に押圧するように寸法決めおよび構成されているピストンである、請求項１７に記載のディスペンサー・アッセンブリ。
【発明の詳細な説明】
【技術分野】
【０００１】
本発明は、概して、ディスペンサー・アッセンブリに関する。より具体的には、本発明は、ストッパーと、プランジャーと、ロッドとを含むディスペンサー・アッセンブリに関し、ロッドは、ストッパーから間隔を離して配置されているときには、プランジャーから解放可能であり、プランジャーは、プランジャーの一部分がストッパーの中の円筒状に形状決めされたスペースの中へ移動させられた状態で、ロッドの解放を防止する。
【背景技術】
【０００２】
建設部門および歯科部門などのような、さまざまな産業において、カートリッジは、たとえば、シーリング成分、ケミカル・ドウェルもしくはケミカル・アンカーのための成分、接着剤、ペースト、または、歯科部門における印象材料などの、液体をディスペンスするために頻繁に使用される。
【０００３】
従来のディスペンサーは、単一成分システム、および、２成分または多成分システムであることが可能であり、単一成分システムでは、ディスペンスされることとなる材料は、１つの成分から形成されており、２成分または多成分システムでは、少なくとも２つの異なる成分が、同じカートリッジの別個のチャンバーの中に、または、別個のカートリッジの中に貯蔵されている。２成分または多成分システムでは、成分は、動的なまたは静的な混合装置によって混合される。多成分システムの例は、２成分の混合の後にのみ硬化する接着剤またはケミカル・ドウェルを含む。また、２成分システムは、たとえば、腐食保護のためのものなど、機能的保護層を発生させるために頻繁に使用される塗料に関する産業部門においても使用され得る。
【０００４】
多くの従来のシステムは、単一の使用のために設計されたプレフィルド・カートリッジを含むことが可能である。いくつかのプレフィルド・カートリッジは、内部ピストンを含むことが可能であり、内部ピストンは、ディスペンサーの中の力印加メカニズムのプランジャーによって押され、カートリッジの内容物をディスペンスする。いくつかのプレフィルド・カートリッジは、ピストンを含んでおらず、カートリッジの内容物をディスペンスするために、ディスペンサーを提供された再使用可能なピストンに依存する。
【発明の概要】
【発明が解決しようとする課題】
【０００５】
本開示の１つの目的は、プランジャーがディスペンサー・アッセンブリのストッパー部材から間隔を離して配置されているときにだけ、互いから分離され得るプランジャーおよびロッドを備えたディスペンサー・アッセンブリを提供することである。
【課題を解決するための手段】
【０００６】
公知の従来技術を考慮して、本開示の１つの態様は、ロッドと、プランジャーと、ストッパーとを備えたディスペンサー・アッセンブリを提供することである。ロッドは、クリップ受け入れ部分を備えたプランジャー受け入れ端部を有している。プランジャーは、ロッド係合クリップを備えたロッド受け入れ構造体を有しており、ロッド係合クリップは、ロッドとともに移動するために、ロッドのクリップ受け入れ部分の中にフィットするように付勢されている。ストッパーは、プランジャー受け入れスペースを有しており、プランジャー受け入れスペースは、アパーチャーを画定しており、アパーチャーは、プランジャー受け入れスペースを通って延在しており、ロッドがアパーチャーを通って延在する状態になっている。プランジャー受け入れスペースは、プランジャーのロッド受け入れ構造体がプランジャー受け入れスペースの中に位置付けされている状態で、ロッド係合クリップの移動がプランジャー受け入れスペースの表面との接触によって制限され、プランジャーからのロッドの解放を防止するように寸法決めされている。
【０００７】
ここで、この最初の開示の一部を形成する添付の図面を参照する。
【図面の簡単な説明】
【０００８】
【図１】第１の実施形態による、ディスペンサー・アッセンブリの斜視図であり、ディスペンサー・アッセンブリは、力印加ロッドおよびストッパーを含み、力印加ロッドは、それに取り付けられているプランジャーを有している、図である。
【図２】第１の実施形態による、力印加ロッド、プランジャー、およびストッパーの分解斜視図である。
【図３】第１の実施形態による、ロッド、プランジャー、およびストッパーの詳細を示す、ディスペンサー・アッセンブリのストッパー支持端部の側断面図である。
【図４】第１の実施形態による、ストッパーおよびディスペンサー・アッセンブリのストッパー支持端部から除去されて示されている、ロッドおよびプランジャーの分解側面図である。
【図５】第１の実施形態による、ロッドおよびプランジャーが図４のそれらの配向に対して９０度回転させられた状態の、ロッドおよびプランジャーの別の分解側面図である。
【図６】第１の実施形態による、プランジャーへのロッドの取り付けの直前で示されている、ロッドおよびプランジャーの分解された側断面図である。
【図７】第１の実施形態による、プランジャーの中へ部分的に挿入されているロッドが、２つの付勢されたロッド係合クリップを弾性的に変形させていることを示す、図６と同様のロッドおよびプランジャーの側断面図である。
【図８】第１の実施形態による、ロッドがプランジャーの中へ完全に挿入されており、２つのロッド係合クリップが、ロッドの上に形成された凹部に接触して状態になっており、ロッドの上にプランジャーを保っていることを示す、図６および図７と同様のロッドおよびプランジャーの別の側断面図である。
【図９】第１の実施形態による、ロッドがプランジャーの中へ完全に挿入されており、２つの付勢されたロッド係合クリップが、ロッドの上に形成された凹部に接触した状態になっており、ロッドの上にプランジャーを保っていることを示す、ロッドおよびプランジャーの側面図である。
【図１０】第１の実施形態による、ロッドおよびプランジャーが互いに固定されており、プランジャーがストッパーから間隔を離して配置された状態になっていることを示す、ストッパー、ロッド、およびプランジャーの側面図である。
【図１１】第１の実施形態による、図１０と同様であるが、ストッパーの中に画定されているプランジャー受け入れスペースの中へプランジャーが延在しており、プランジャー受け入れスペースは、ロッド係合クリップの移動を制限するように寸法決めされており、ロッドがプランジャーから解放されることができないようになっていることを示す、ストッパー、ロッド、およびプランジャーの別の側面図である。
【図１２】第１の実施形態による、ディスペンサー・アッセンブリのストッパー支持端部へのストッパーの組み立ての直前の、ディスペンサー・アッセンブリのストッパー支持端部、カップ形状の部材、およびリテイナーを伴う、ストッパーの分解された側断面図である。
【図１３】第１の実施形態による、ストッパーへのリテイナーのネジ式の締め付けを介して、カップ形状の部材がストッパーとディスペンサー・アッセンブリのストッパー支持端部との間に閉じ込められた状態の、ディスペンサー・アッセンブリのストッパー支持端部に据え付けられて示されているストッパーの側断面図である。
【図１４】第１の実施形態による、ロッドがストッパーを通って延在しており、プランジャーがストッパーから間隔を離して配置されている状態の、ディスペンサー・アッセンブリのストッパー支持端部に据え付けられて示されているストッパーの側断面図である。
【図１５】第１の実施形態による、ディスペンサー・アッセンブリのストッパー支持端部に据え付けられて示されているストッパーの側断面図であり、プランジャーがストッパーのプランジャー受け入れスペースの中へ延在し、ロッド係合クリップの移動を制限しており、ロッドがプランジャーから解放されることができるようになっていることを示す図である。
【図１６】第１の実施形態による、ストッパーのカップ形状の部材への据え付けの前のカートリッジを示す、ストッパー、ロッド、プランジャー、および、ディスペンサー・アッセンブリのストッパー支持端部の側断面図である。
【図１７】第１の実施形態による、ストッパーのカップ形状の部材への据え付けの後のカートリッジを示す、ストッパー、ロッド、プランジャー、および、ディスペンサー・アッセンブリのストッパー支持端部の側断面図である。
【図１８】第１の実施形態による、プランジャー（ピストン）がカートリッジの内容物にディスペンシング力を印加しており、プランジャーがカートリッジの中へさらに移動させられるようになっていることを示す、ストッパー、ロッド、プランジャー、および、ディスペンサー・アッセンブリのストッパー支持端部の側断面図である。
【図１９】第２の実施形態による、プランジャーがそれに取り付けられている状態の力印加ロッドと、ストッパーと、内部ピストンを備えた使い捨てのカートリッジとを含む、ディスペンサー・アッセンブリの斜視図である。
【図２０】第２の実施形態による、ストッパー、ロッド、およびプランジャーの側断面図である。
【図２１】第２の実施形態による、ストッパーのカップ形状の部材への据え付けの前のカートリッジおよびその内部ピストンを示す、ストッパー、ロッド、プランジャー、および、ディスペンサー・アッセンブリのストッパー支持端部の側断面図である。
【図２２】第２の実施形態による、ストッパーのカップ形状の部材への据え付けの後のカートリッジおよびその内部ピストンを示す、ストッパー、ロッド、プランジャー、および、ディスペンサー・アッセンブリのストッパー支持端部の側断面図である。
【図２３】第３の実施形態による、プランジャーへのロッドの取り付けの直前で示されている、ロッドおよびプランジャーの分解された側断面図である。
【図２４】第３の実施形態による、ロッドがプランジャーの中へ完全に挿入されており、２つのロッド係合クリップがロッドの上に形成された突起部に接触した状態になっており、ロッドの上にプランジャーを保っていることを示す、図２３と同様のロッドおよびプランジャーの別の側断面図である。
【図２５】第４の実施形態による、プランジャーがそれに取り付けられている状態の力印加ロッドと、ストッパーと、使い捨てのカートリッジを受け入れるように構成されている構造体とを含む、ディスペンサー・アッセンブリの上面図である。
【図２６】第４の実施形態による、力印加ロッドおよびそれに取り付けられているプランジャーの詳細を示す、図２５に示されているディスペンサー・アッセンブリの一部分の別の上面図である。
【図２７】第４の実施形態による、プランジャーがストッパーから離れるように移動させられている状態の、力印加ロッドと、それに取り付けられているプランジャーと、ディスペンサーに取り付けられているストッパーとのさらなる詳細を示す、図２６に示されているディスペンサーの部分の側断面図である。
【図２８】第４の実施形態による、プランジャーがストッパーのプランジャー受け入れスペースの中へ移動させられ、プランジャーのクリップの移動を制限しており、それによって、ロッドがプランジャーから除去されることを防止している状態の、力印加ロッド、プランジャー、およびストッパーのさらなる詳細を示す、図２７と同様のディスペンサーの部分の別の側断面図である。
【図２９】第４の実施形態による、プランジャーがストッパーのプランジャー受け入れスペースの中へ移動させられ、プランジャーのクリップの移動を制限しており、それによって、ロッドがプランジャーから除去されることを防止している状態の、力印加ロッド、プランジャー、およびストッパーのさらなる詳細を示す、ディスペンサーの部分の別の側断面図である。
【図３０】第４の実施形態による、ストッパーがプランジャーから離れるように移動させられている状態の、ロッド、プランジャー、およびストッパーの概略側面図である。
【図３１】第４の実施形態による、プランジャーがロッドから分離されている状態の、ロッド、プランジャー、およびストッパーの別の概略側面図である。
【発明を実施するための形態】
【０００９】
ここで、選択された実施形態が、図面を参照して説明されることとなる。実施形態の以下の説明は、単なる図示のために提供されており、添付の特許請求の範囲によって定義されているような本発明およびその均等物を限定する目的のために提供されてないないということが、本開示から当業者に明らかになることとなる。
【００１０】
最初に図１を参照すると、第１の実施形態によるディスペンサー・アッセンブリ１０が図示されている。ディスペンサー・アッセンブリ１０は、ハンドル・アッセンブリ１２を含み、ハンドル・アッセンブリ１２は、カートリッジ受け入れ構造体１４、ディスペンシング・ノズル１６、およびディスペンシング・メカニズム１８を有している。また、ディスペンサー・アッセンブリ１０は、ロッド２０を含み、また、ディスペンサー・アッセンブリ１０は、図２においてディスペンサー・アッセンブリ１０から除去されて示されているように、ロッド２０と協働するプランジャー２２およびストッパー２４を含む。
【００１１】
ハンドル・アッセンブリ１２は、トリガー１８ａを含み、トリガー１８ａは、ディスペンシング・メカニズム１８を動作させる。カートリッジ受け入れ構造体１４は、材料ディスペンシング端部１４ａおよびストッパー支持端部１４ｂを含む。
【００１２】
カートリッジ受け入れ構造体１４は、従来の様式で交換可能なカートリッジＣ１を受け入れるように構成されている。ディスペンサー・アッセンブリ１０は、カートリッジＣ１の内容物のみをディスペンスするように構成され得り、または、図１に示されている実施形態に示されているように、カートリッジＣ１の内容物および第２のカートリッジＣ２の内容物をノズル１６から外へディスペンスするように構成され得る。随意的な混合チャンバー（混合部分）（図示せず）が、ノズル１６の中に提供され、内容物がディスペンスされるときに、カートリッジＣ１の内容物および第２のカートリッジＣ２の内容物を混合することが可能である。
【００１３】
ハンドル・アッセンブリ１２は、第２のカートリッジ受け入れ構造体２６を含み、第２のカートリッジ受け入れ構造体２６は、カートリッジ受け入れ構造体１４に対して平行に延在している。第２のカートリッジ受け入れ構造体２６は、第２のカートリッジＣ２を受け入れるように構成されている。第２のカートリッジ受け入れ構造体２６は、第２のロッド（図示せず）、第２のプランジャー（図示せず）、および第２のストッパー（図示せず）を含むことが可能である。第２のロッドは、ロッド２０の特徴と同一の特徴を有しており、第２のプランジャーは、プランジャー２２の特徴と同一の特徴を有しており、第２のストッパーは、ストッパー２４のすべての特徴を有している。したがって、簡潔化のために、ロッド２０、プランジャー２２、およびストッパー２４だけが、本明細書で下記に説明されている。換言すれば、ロッド２０の説明は、第２のロッド（図示せず）に等しく適用され、プランジャー２２の説明は、第２のプランジャー（図示せず）に等しく適用され、ストッパー２４の説明は、第２のストッパー（図示せず）に等しく適用される。
【００１４】
カートリッジＣ１およびＣ２の内容物のディスペンシングは、ディスペンシング・メカニズム１８の動作を介して制御され、ディスペンシング・メカニズム１８は、ロッド２０を移動させる。換言すれば、ディスペンシング・メカニズム１８は、制御ロッド２０の移動を制御するロッド前進メカニズムである。ロッド２０の移動は、圧力が従来の様式でカートリッジＣ１の内容物（および、カートリッジＣ２の内容物）に印加されることを引き起こす。ディスペンシング・メカニズム１８などのようなディスペンシング・メカニズムは従来のメカニズムであるので、さらなる説明は、簡潔化のために省略される。
【００１５】
図２においてディスペンサー・アッセンブリ１０から除去されて示されているように、ロッド２０は、細長い部材であり、細長い部材は、より詳細に下記に説明されているように、ストッパー２４を通って延在しており、プランジャー２２に取り付けられている。
【００１６】
ここで、ロッド２０、プランジャー２２、およびストッパー２４の説明が、図３〜図１８を参照して提供される。図３〜図９に示されているように、ロッド２０は、プランジャー受け入れ端部２８を有しており、プランジャー受け入れ端部２８は、クリップ受け入れ凹部２８ａ（クリップ受け入れ部分とも称される）を含む。クリップ受け入れ凹部２８ａは、外径Ｄ１を画定する、とりわけ環状の凹部であることが可能であり、外径Ｄ１は、ロッド２０の残りの部分の全体的な外径Ｄ２よりも小さくなっている。代替的に、クリップ受け入れ凹部２８ａは、互いに分離されている１対の円弧状の凹部であることが可能である。円弧状の凹部は、たとえば、９０度の円弧状の長さを有することが可能である。別の代替的な構成では、クリップ受け入れ凹部２８ａは、ロッド係合クリップ３８を受け入れるように寸法決めされている１対のまたは複数対の長方形形状の凹部であることが可能である（より詳細に下記に説明されている）。クリップ受け入れ凹部の数は、ロッド係合クリップ３８の数に対応することが可能である。
【００１７】
ディスペンサー・アッセンブリ１０は、単に１つのタイプのディスペンサー・アッセンブリであるということ、および、プランジャー２２およびストッパー２４は、さまざまなディスペンシング・アッセンブリのいずれかとともに使用され得り、第１の実施形態のディスペンサー・アッセンブリ１０による使用法に限定されないということが図面および本明細書における説明から理解されるべきである。
【００１８】
図３〜図９に示されているように、プランジャー２２は、ディスク形状の部分３０およびロッド受け入れ構造体３２を有しており、それらは、単一のモノリシックのユニタリー・エレメントとして一緒に成形されている。図３〜図１８に示されている第１の実施形態において、ディスク形状の部分３０は、ピストンを画定しており、ピストンは、カートリッジＣ１の内容物をノズル１６から外へ促すために、従来の様式でカートリッジＣ１の中へ挿入され得る。カートリッジを備えたプランジャー２２（ピストン）の１つのそのような使用法は、２０１７年１２月２７日に出願された米国特許出願第１５／８５５，３５７号に開示されてさらに説明されている。米国特許出願第１５／８５５，３５７号の図面および開示は、その全体が参照により本明細書に組み込まれている。
【００１９】
図４〜図５および図９に示されているように、ロッド受け入れ構造体３２は、円筒状に形状決めされた構造体であり、円筒状に形状決めされた構造体は、環状の端部リング３４と、支持部分３６と、ロッド係合クリップ３８（上記に述べられている）とを含む。
【００２０】
支持部分３６は、ディスク形状の部分３０から環状の端部リング３４へ延在している。支持部分３６は、環状の端部リング３４およびロッド係合クリップ３８を支持する基本的にリジッドのセクションである。示されている実施形態では、２つの支持セクション３６が存在しており、ロッド係合クリップ３８が支持セクション３６同士の間に配設された状態になっている。代替的に、３つのまたは４つのロッド係合クリップ３８が、対応する数の支持部分３６を備えたロッド受け入れ構造体３２の一部として提供され得る。ロッド係合クリップ３８は、自由端部３８ａを有している。ロッド係合クリップ３８の自由端部３８ａは、外径Ｄ３を画定している。基本的に、ロッド係合クリップ３８は、片持ち梁部材であり、片持ち梁部材は、環状の端部リング３４からディスク形状の部分３０に向けて戻るように延在している。ロッド係合クリップ３８は、環状の端部リング３４に対して、限定された弾性的な変形を受けるように構成および寸法決めされている。換言すれば、ロッド係合クリップ３８は、環状の端部リング３４に隣接するエリアにおける所定のレベルの力に応答して、弾性的に曲がることが可能である。しかし、所定のレベルの力が解放すると、ロッド係合クリップ３８は、図６、図８、および図９に示されているそれらの元の配向に戻る。
【００２１】
ディスク形状の部分３０、支持部分３６、ロッド係合クリップ３８、および環状の端部リング３４は、単一のユニタリーのモノリシックの部材として一緒に形成されている。図６、図７、および図８に示されているように、環状の端部リング３４は、開口部３４ａを画定しており、開口部３４ａは、中心孔につながり、中心孔は、環状の端部リング３４の端部から、環状の端部リング３４を通して、ロッド係合クリップ３８同士の間を、ディスク形状の部分３０へ延在している。
【００２２】
プランジャー２２は、プラスチックまたはポリマー材料などのような、可撓性の弾性材料から作製されている。プランジャー２２を製造するために使用される材料の形状および材料特性は、所定のレベルの付勢をロッド係合クリップ３８に提供し、ロッド係合クリップ３８が、図３、図４、図６および図８〜図１１に示されている配向（位置）へと付勢されるようになっている。結果的に、ロッド係合クリップ３８の弾性特性は、互いに向けて移動するようにロッド係合クリップ３８を付勢し、図６、図７、および図８に示されている一連の断面イメージに示されているように、プランジャー２２へのロッド２０の簡単な取り付けを可能にする。図６において、ロッド２０は、プランジャー２２の中の開口部３４ａに向けて移動させられている。図７に示されているように、ロッド２０がロッド係合クリップ３８を通過して押されるときに、ロッド係合クリップ３８は、弾性的に変形し、ロッド２０のためのスペースを作る。図７に示されているように、ロッド係合クリップ３８が半径方向外向きに移動させられている状態で、ロッド係合クリップ３８の自由端部３８ａは、外径Ｄ４を画定しており、外径Ｄ４は、直径Ｄ３よりも大きい。図８および図９に示されているように、ロッド２２がロッド受け入れ構造体３２の中へ完全に移動させられると、ロッド係合クリップ３８は、それらの元の配向に弾性的に復元される。換言すれば、図８および図９は、ロッド２０のクリップ受け入れ凹部２８ａにまたはその中にフィットするように付勢されているロッド係合クリップ３８を示している。
【００２３】
示されている第１の実施形態では、プランジャー２２は、環状の端部リング３４に取り付けられている２つのロッド係合クリップ２８および２つの支持部分３６を含む。しかし、プランジャー２２は、１つだけのロッド係合クリップ２８を提供され得るか、または、代替的に、３つの、４つの、もしくは５つのロッド係合クリップ２８を提供され得り、それらは、ロッド係合クリップの隣接する対の間に対応する支持部分３６がある状態で、互いから円周方向に間隔を離して配置されているということが図面および本明細書における説明から理解されるべきである。
【００２４】
ここで、ストッパー２４の説明が、図１０、図１１、および図１２を参照して最初に提供される。
【００２５】
ストッパー２４は、好ましくは、成形プラスチック・エレメントであるが、代替的に、機械加工され得り、または、その他の方法で金属材料から形成され得る。ストッパー２４は、第１のセクション２４ａおよび第２のセクション２４ｂを有している。第１のセクション２４ａは、全体的なディスク形状を有しており、第２のセクション２４ｂは、円筒状の形状を有している。第１および第２のセクション２４ａおよび２４ｂは、単一のモノリシックのエレメントとして単一的に形成されている。第１のセクション２４ａは、外径Ｄ５を有しており、第２のセクション２４ｂは、外径Ｄ６を有しており、外径Ｄ６は、外径Ｄ５よりも小さくなっている。ストッパー２４は、円筒状に形状決めされたプランジャー受け入れスペース４０（以降では、プランジャー受け入れスペース４０と称される）を画定しており、壁部４０ｃによって分離された第１の部分４０ａおよび第２の部分４０ｂを備えている。アパーチャー４２は、プランジャー受け入れスペース４０の第１の部分４０ａから第２の部分４０ｂへ延在している。アパーチャー４２は、ロッド２０を受け入れるように寸法決めされており、ロッド２０は、図１０および図１１に示されているように、アパーチャー４２を通って延在している。
【００２６】
図１１に示されているように、ストッパー２４の第２のセクション２４ｂの外側表面は、ネジ山４４を含み、ネジ山４４の目的は、より詳細に下記に説明されている。
【００２７】
図１０に示されているように、プランジャー受け入れスペース４０の第１の部分４０ａは、内径Ｄ７を有しており、内径Ｄ７は、プランジャー２２のロッド受け入れ構造体３２がプランジャー受け入れスペース４０の中に位置付けされている状態で、ロッド係合クリップ３８の移動がプランジャー受け入れスペース４０の表面との接触によって制限され、それによって、プランジャー２２からのロッド２０の解放を防止するように寸法決めされている。
【００２８】
より具体的には、プランジャー受け入れスペース４０の第１の部分４０ａの内径Ｄ７は、ロッド係合クリップ３８がロッド２０と係合させられてプランジャー２２に完全に据え付けられている状態で、ロッド係合クリップ３８の外径Ｄ３に等しいかまたはそれよりもわずかにだけ大きくなっている。好ましくは、ロッド係合クリップ３８の自由端部３８ａ（遠位端部）における外径Ｄ３は、プランジャー受け入れスペース４０の第１の部分４０ａの直径Ｄ７のおおよそ９５％以上であり、ロッド係合クリップ３８がストッパー２４のプランジャー受け入れスペース４０の中に位置付けされている状態で、ロッド係合クリップ３８の移動が抑えられるようになっている。さらに、プランジャー受け入れスペース４０の第１の部分４０ａの直径Ｄ７は、図７に示されているように、プランジャー２２にロッド２０を据え付けるためにまたはプランジャー２２からロッド２０を解放するために、ロッド係合クリップ３８が互いから離れるように広げられているときの外径Ｄ４（図７）よりも大幅に小さくなっている。結果的に、ロッド受け入れ構造体３２がストッパー２４のプランジャー受け入れスペース４０の中にある状態で、ロッド係合クリップ３８は、ロッド２０のクリップ受け入れ凹部２８ａから外へ移動することを制限されて防止される。換言すれば、図１１に示されているように、ロッド受け入れ構造体３２がストッパー２４のプランジャー受け入れスペース４０の中に閉じ込められているときに、ロッド２０、プランジャー２２、ストッパー４０のうちの１つまたは複数に損傷を与えることなくまたは破壊することなく、ロッド２０をプランジャー２２から引っ張り出すことができない。
【００２９】
しかし、図１０に示されているように、ロッド受け入れ構造体３２がストッパー２４のプランジャー受け入れスペース４０から除去されているときには、ロッド係合クリップ３８の移動は制限されず、したがって、ロッド２０およびプランジャー２２に印加される所定の力を印加すると、プランジャー２２からロッド２０を分離し、それらを互いから引き離すことが可能である。
【００３０】
図１２〜図１５に示されているように、ストッパー２４は、ディスペンサー・アッセンブリ１０のストッパー支持端部１４ｂ（後方端部）に除去可能に取り付けられ得る。具体的には、ストッパー支持端部１４ｂは、図１２〜図１５に示されているように、２つの別個の間隔を離して配置された突起部を含むことが可能である。ストッパー２４は、図１２〜図１５に示されているように、ストッパー支持端部１４ｂの突起部同士の間に挿入され得る。代替的に、ストッパー支持端部１４ｂは、アパーチャーを含むことが可能であり、第２の部分２４ｂがアパーチャーを通して挿入された状態になっている。
【００３１】
カップ形状の部材５０が、ストッパー２４の第１のセクション２４ａおよびストッパー支持端部１４ｂにフィットさせられている。カップ形状の部材５０は、環状の壁部５０ａと、環状の壁部５０ａに対して垂直の平坦な壁部５０ｂとを含む。平坦な壁部５０ｂは、中央アパーチャー５０ｃを含む。ストッパー２４の第２のセクション２４ｂは、中央アパーチャー５０ｃを通って延在している。リテイナー５２は、内部ネジ山５２ａを有しており、内部ネジ山５２ａは、図１３に示されているように、第２のセクション２４ｂのネジ山４４の上にねじ込まれる。リテイナー５２がストッパー２４の第２のセクション２４ｂのネジ山４４に固定された（ねじ込まれた）状態で、ディスペンサー・アッセンブリ１０のストッパー支持端部１４ｂは、リテイナー５２とストッパー２４の第１のセクション２４ａとの間に保持されている。
【００３２】
図１３に示されているように、リテイナー５２は、基本的に、カップ形状の部材５０をストッパー２４にクランプする。結果的に、リテイナー５２がストッパー２４の第２のセクション２４ｂに締め付けられると、カップ形状の部材５０およびストッパー２４は、互いにリジッドに固定される。カップ形状の部材５０の環状の壁部５０ａは、プランジャー受け入れスペース４０を拡張するかまたはさらに画定する。結果的に、プランジャー受け入れスペース４０は、第１のスペースＳ１および第２のスペースＳ２を含む。第１のスペースＳ１は、環状の壁部５０ａの内側表面によって画定されており、第２のスペースＳ２は、図１３に示されているように、ストッパー２４の第１および第２の部分２４ａおよび２４ｂのスペース４０の内側表面によって画定されている。ストッパー２４の第１および第２の部分２４ａおよび２４ｂのスペース４０の内側表面は、カップ形状の部材５０の環状の壁部５０ａの内側表面と同心円状になっている。図１３において明確であるように、環状の壁部５０ａの内側表面は、ストッパー２４のスペース４０の直径Ｄ７のサイズの２倍を超える内径を画定している。
【００３３】
図１４および図１５に示されているように、プランジャー２２は、ロッド受け入れ構造体３２がプランジャー受け入れスペース４０の第２のスペースＳ２の中に位置付けされている状態で、プランジャー２２のディスク形状の部分３０が第１のスペースＳ１の中に位置付けされるように構成および寸法決めされている。
【００３４】
図１６〜図１８に示されているように、カートリッジＣ１の外径は、環状の壁部５０ａの内側表面に等しいかまたはそれよりもわずかに小さくなっている。結果的に、カートリッジＣ１は、カップ形状の部材５０の中へ挿入され得る。さらに、カートリッジＣ１の内径は、プランジャー２２のディスク形状の部分３０（ピストン）の外径におおよそ等しくなっている。ロッド２０によってディスク形状の部分３０に力が印加されるとき、ディスク形状の部分３０は、カートリッジＣ１の内容物を押すことが可能であり、それによって、カートリッジＣ１の内容物をディスペンスすることが可能である。
【００３５】
カートリッジＣ１の内容物が使い果たされた後に、プランジャー２２は、典型的に、カートリッジＣ１の中へ十分に押し込まれている。結果的に、カートリッジＣ１からプランジャー２２を除去するために、ロッド２０に引っ張り力または引き戻し力を印加することが必要である。ロッド係合クリップ３８は、ロッド係合クリップ３８によってロッド２０のクリップ受け入れ凹部２８ａに印加される力が、カートリッジＣ１からのロッド２０およびプランジャー２２の引き戻し移動の間にロッド２０を把持するのに十分であるように設計され、構成され、および寸法決めされている。換言すれば、典型的にカートリッジＣ１からプランジャー２２を引き戻すためにロッド２０に印加される引き戻し力は、典型的に、ロッド係合クリップ３８によってロッド２０に印加されるクランピング力に打ち勝つには不十分である。結果的に、カートリッジＣ１からロッド２０およびプランジャー２２を引き戻すことが、容易に達成される。プランジャー２２が、カートリッジＣ１から外へ、場合によっては、カートリッジＣ１から離れるように移動するとき、プランジャー２２のロッド係合クリップ３８およびロッド受け入れ構造体３２が、ストッパー２４のプランジャー受け入れスペース４０の中へ移動する。したがって、ロッド２０に印加される引き戻し力と同じ方向にそれよりも大きい力がロッド２０に印加される場合には、プランジャー受け入れスペース４０は、ロッド係合クリップ３８の移動を制限し、ロッド２０からのプランジャー２２の解放を防止する。
【００３６】
本明細書で説明されているようなロッド２０およびプランジャー２２の構成は、カートリッジ交換手順の間にプランジャー２２がロッド２０から分離することを防止する。
【００３７】
第２の実施形態
ここで図１９〜図２２を参照すると、第２の実施形態によるディスペンサー・アッセンブリ１１０が、ここで説明されることとなる。第１の実施形態と第２の実施形態との間の類似性を考慮して、第１の実施形態のパーツと同じ第２の実施形態のパーツは、第１の実施形態のパーツと同じ参照番号が与えられることとなる。そのうえ、第１の実施形態のパーツと同一の第２の実施形態のパーツの説明は、簡潔化のために省略され得る。第１の実施形態のパーツとは異なる第２の実施形態のパーツは、シングル・プライム（’）とともに示されることとなる。
【００３８】
ディスペンサー・アッセンブリ１１０は、ハンドル１１２と、カートリッジ受け入れ構造体１１４と、材料ディスペンシング端部１１４ａと、ストッパー支持端部１１４ｂと、交換可能な（使い捨ての）カートリッジＣ３と、トリガー１１８ａを備えたディスペンシング・メカニズム１１８と、プランジャー１２２とを含む。また、ディスペンサー・アッセンブリ１１０は、第１の実施形態を参照して上記に説明されているように、ロッド２０およびストッパー２４を含む。
【００３９】
第２の実施形態では、カートリッジＣ３は、それ自身のピストンＣＰを含む。さらに、プランジャー１２２は、（第１の実施形態を参照して上記に説明されているように）ディスク形状の部分１３０およびロッド受け入れ構造体３２を含む。
【００４０】
第２の実施形態では、ディスク形状の部分１３０は、ピストンではなく、むしろ、ディスク形状のプレートであり、ディスク形状のプレートは、カートリッジＣ３のピストンＣＰに接触し、ピストンＣＰに選択的にディスペンシング力を印加するように構成されている。
【００４１】
第３の実施形態
ここで図２３〜図２４を参照すると、第３の実施形態によるロッド２２０およびプランジャー２２２が、ここで説明されることとなる。第１の実施形態と第３の実施形態との間の類似性を考慮して、第１の実施形態のパーツと同じ第３の実施形態のパーツは、第１の実施形態のパーツと同じ参照番号が与えられることとなる。そのうえ、第１の実施形態のパーツと同一の第３の実施形態のパーツの説明は、簡潔化のために省略され得る。
【００４２】
第３の実施形態では、ロッド２２０が、第１の実施形態のロッド２０を交換しており、ロッド２０の使用と一致する様式でディスペンサー１０の中で使用され得る。ロッド２２０は、第１の実施形態のクリップ受け入れ凹部２８ａがクリップ受け入れ突出部２２８ａ（クリップ受け入れ部分）と交換されていることを除いて、第１の実施形態のロッド２０と同一である。クリップ受け入れ突出部２２８ａは、環状の突出部（ロッド２２０を取り囲んでいる）であり、環状の突出部は、ロッド２２０の残りの部分の外形よりも大きい外径を有している。
【００４３】
プランジャー２２２は、第１の実施形態のプランジャー２２を交換しており、プランジャー２２の使用と一貫する様式でディスペンサー１０の中で使用され得る。プランジャー２２２は、第１の実施形態を参照して説明されているようなディスク形状の部分３０を有しており、また、ロッド受け入れ構造体２３２を含む。ロッド受け入れ構造体２３２は、第１の実施形態を参照して上記に説明されているように、環状の端部リング３４および支持部分３６を含む。しかし、第３の実施形態では、ロッド係合クリップ３８は、修正されたロッド係合クリップ２３８と交換されている。ロッド係合クリップ２３８は、図２４に示されているように、ロッド係合クリップ２３８がクリップ受け入れ突出部２２８ａに係合するように寸法決めされていることを除いて、第１の実施形態のロッド係合クリップ３８と同様である。ロッド係合クリップ２３８は、第１の実施形態を参照して上記に説明されているように、自由端部３８ａを含む。さらに、ロッド係合クリップ２３８の自由端部３８ａは、第１の実施形態のロッド係合クリップ３８の自由端部３８ａと正確に同じ様式で、ストッパー２４のプランジャー受け入れスペース４０（図２３および図２４には示されていない）と相互作用する。具体的には、ロッド受け入れ構造体２３２がストッパー２４のプランジャー受け入れスペース４０の中に位置付けされている状態で、ロッド２２０は、ロッド係合クリップ２３８から除去することは不可能でないとしても困難である。その理由は、ストッパー２４のプランジャー受け入れスペース４０の内径がロッド係合クリップ２３８の移動を防止するからである。
【００４４】
第４の実施形態
ここで図２５〜図３１を参照すると、第４の実施形態によるディスペンサー３１０が、ここで説明されることとなる。第１の実施形態と第４の実施形態との間の類似性を考慮して、第１の実施形態のパーツと同じ第４の実施形態のパーツは、第１の実施形態のパーツと同じ参照番号が与えられることとなる。そのうえ、第１の実施形態のパーツと同一の第４の実施形態のパーツの説明は、簡潔化のために省略され得る。
【００４５】
ディスペンサー・アッセンブリ３１０は、下記に説明されているようないくつかの修正を伴って、第２の実施形態のディスペンサー・アッセンブリ１１０と基本的に同じである。第２の実施形態のディスペンサー・アッセンブリ１１０と同じディスペンサー・アッセンブリ３１０のそれらのパーツは、第２の実施形態のパーツと同じ参照数字を与えられている。
【００４６】
ディスペンサー・アッセンブリ３１０は、第２の実施形態を参照して上記に説明されているように、ハンドル１１２と、カートリッジ受け入れ構造体１１４と、材料ディスペンシング端部１１４ａと、ストッパー支持端部１１４ｂと、トリガー１１８ａを備えたディスペンシング・メカニズム１１８と、プランジャー１２２とを含む。また、ディスペンサー・アッセンブリ３１０は、第１の実施形態を参照して上記に説明されているように、ロッド２０を含む。しかし、第４の実施形態では、第１および第２の実施形態のストッパー２４は、第１および第２の実施形態のストッパー２４に対して修正されたストッパー３２４と交換されている。
【００４７】
第４の実施形態では、カートリッジＣ３（図示せず）は、それ自身のピストン（図示せず）を含む。さらに、プランジャー１２２は、（第１および第２の実施形態を参照して上記に説明されているように）ディスク形状の部分１３０およびロッド受け入れ構造体３２を含む。具体的には、ロッド受け入れ構造体３２は、環状の端部リング３４およびロッド係合クリップ３８を含む。
【００４８】
第４の実施形態では、ディスク形状の部分１３０は、ピストンではなく、むしろ、ディスク形状のプレートであり、ディスク形状のプレートは、カートリッジＣ３（図示せず）のピストンＣＰ（図示せず）に接触し、ピストンＣＰに選択的にディスペンシング力を印加するように構成されている。
【００４９】
第４の実施形態では、第１および第２の実施形態のストッパー２４は、修正されたストッパー３２４と交換されている。ストッパー３２４は、第１のセクション３２４ａおよび第２のセクション３２４ｂを含む。第１のセクション３２４ａは、リテイナー３５２の内部ネジ山に係合する、外周部の上に形成されたネジ山を有している（図２７および図２８）。第２のセクション３２４ｂは、ディスク形状を有しており、また、ストッパー３２４がディスペンサー・アッセンブリ３１０のストッパー支持端部１１４ｂに据え付けられているときに、第２のセクション３２４ｂは、カートリッジ受け入れ構造体１１４の外側のディスペンサー・アッセンブリ３１０の後方側に据え付けられている。第１のセクション３２４ａは、円柱状形状を有しており、ストッパー支持端部１１４ｂの中の開口部またはギャップを通って、カートリッジ受け入れ構造体１１４のカートリッジ受け入れスペースの中へ延在している。リテイナー３５２は、ストッパー３２４を適切な場所に固定する。
【００５０】
ストッパー３２４の第１のセクション３２４ａは、プランジャー受け入れスペース３４０を画定しており、プランジャー受け入れスペース３４０は、第１および第２の実施形態のプランジャー受け入れスペース４０と同一の様式で寸法決めされており、ロッド受け入れ構造体３２（および、とりわけ、ロッド係合クリップ３８）がプランジャー受け入れスペース３４０の中に位置付けされているときに、ロッド係合クリップ３８の移動が制限され、それによって、ロッド受け入れ構造体３２からのロッド２０の解放を防止するようになっている。図３０および図３１に示されているように、ロッド受け入れ構造体３２（および、とりわけ、ロッド係合クリップ３８）がプランジャー受け入れスペース３４０から外へ移動させられると、ロッド係合クリップ３８の移動は、ロッド係合クリップ３８の弾性的な力によってのみ制限され、必要に応じて、十分な力がプランジャー３２４およびロッド２０に印加された状態になると、ロッド２０がロッド受け入れ構造体３２から分離され得る。
【００５１】
（ロッド２０および２２０、プランジャー２２、１２２、および２２２、ならびに、ストッパー２４および３２４以外の）ディスペンサー・アッセンブリ１０および１１０のさまざまなエレメントは、当技術分野でよく知られている従来のコンポーネントである。そのようなディスペンサー・アッセンブリ・エレメントは当技術分野でよく知られているので、これらの構造体は、本明細書で詳細に議論または図示されることとはならない。むしろ、コンポーネントは、本発明を実施するために使用され得る任意のタイプの構造体であることが可能であるということが、本開示から当業者に明らかになることとなる。
【００５２】
用語の一般的な解釈
本発明の範囲を理解する際に、本明細書で使用されているように、「含む（ｃｏｍｐｒｉｓｉｎｇ）」という用語およびその派生語は、オープン・エンドの用語であるということが意図されており、オープン・エンドの用語は、述べられている特徴、エレメント、コンポーネント、グループ、整数、および／またはステップの存在を特定しているが、他の述べられていない特徴、エレメント、コンポーネント、グループ、整数、および／またはステップの存在を除外していない。また、先述のものは、「含む（ｉｎｃｌｕｄｉｎｇ）」、「有する（ｈａｖｉｎｇ）」という用語およびそれらの派生語などのような、同様の意味を有する単語にも適用される。また、単数形で使用されるときの「パーツ」、「セクション」、「部分」、「部材」、または「エレメント」という用語は、単一のパーツまたは複数のパーツの二重の意味を有することが可能である。また、上記の実施形態を説明するために本明細書で使用されているように、以下の方向の用語、「前方」、「後方」、「上方」、「下向き」、「垂直方向」、「水平方向」、「下方」、および「横断方向」、ならびに、任意の他の同様の方向の用語は、ディスペンサー・アッセンブリのそれらの方向を指している。したがって、これらの用語は、本発明を説明されているために利用されているように、ディスペンサー・アッセンブリに関して解釈されるべきである。
【００５３】
デバイスのコンポーネント、セクション、またはパーツを説明するために本明細書で使用されているような「構成されている」という用語は、所望の機能を実施するように構築されている構造体を含む。
【００５４】
本明細書で使用されているような「実質的に」、「約」、および「おおよそ」などのような程度の用語は、最終結果が大幅に変更されないように修飾される用語の合理的な量の逸脱を意味している。
【００５５】
選択された実施形態のみが、本発明を図示するために選ばれてきたが、添付の特許請求の範囲の中に定義されているような本発明の範囲を逸脱することなく、さまざまな変形例および修正例が本明細書で作製され得るということが、本開示から当業者に明らかになることとなる。たとえば、さまざまなコンポーネントのサイズ、形状、場所、または配向が、必要に応じておよび／または所望の通りに変更され得る。互いに直接的に接続されるかまたは接触しているように示されているコンポーネントは、それらの間に配設されている中間構造体を有することが可能である。１つのエレメントの機能は、２つのエレメントによって果たされ得り、その逆もまた同様である。１つの実施形態の構造および機能は、別の実施形態において採用され得る。すべての利点が同時に特定の実施形態の中に存在していることは必要でない。また、先行技術とは異なる独自のすべての特徴は、単独で、または、他の特徴と組み合わせて、そのような特徴によって具現化されている構造的なおよび／または機能的な概念を含む、本出願人によるさらなる発明の別個の説明であると見なされるべきである。したがって、本発明による実施形態の先述の説明は、単なる図示のためだけに提供されており、添付の特許請求の範囲によって定義されるような本発明およびその均等物を限定する目的のために提供されてはいない。
【図１】
2021525589.tif 000003
【図２】
2021525589.tif 000004
【図３】
2021525589.tif 000005
【図４】
2021525589.tif 000006
【図５】
2021525589.tif 000007
【図６】
2021525589.tif 000008
【図７】
2021525589.tif 000009
【図８】
2021525589.tif 000010
【図９】
2021525589.tif 000011
【図１０】
2021525589.tif 000012
【図１１】
2021525589.tif 000013
【図１２】
2021525589.tif 000014
【図１３】
2021525589.tif 000015
【図１４】
2021525589.tif 000016
【図１５】
2021525589.tif 000017
【図１６】
2021525589.tif 000018
【図１７】
2021525589.tif 000019
【図１８】
2021525589.tif 000020
【図１９】
2021525589.tif 000021
【図２０】
2021525589.tif 000022
【図２１】
2021525589.tif 000023
【図２２】
2021525589.tif 000024
【図２３】
2021525589.tif 000025
【図２４】
2021525589.tif 000026
【図２５】
2021525589.tif 000027
【図２６】
2021525589.tif 000028
【図２７】
2021525589.tif 000029
【図２８】
2021525589.tif 000030
【図２９】
2021525589.tif 000031
【図３０】
2021525589.tif 000032
【図３１】
2021525589.tif 000033
【国際調査報告】
2021525589.tif 000034
2021525589.tif 000035